(57)【要約】【課題】構造が簡単で且つコストダウンを図ることができ、しかもバルーンの膨張と収縮操作及びバルーンの傾斜角度の調整を簡単容易に行うことができるバルーン照明機を提供する。【解決手段】移動自在の台車４と、この台車４上に載置した発電機８と、内部に電球を有するバルーン９に電球からの光を透過させて発光するように構成された照明バルーン７と、伸縮自在の複数段のマスト１５，１６，１７からなる昇降装置５とを備え、昇降装置５の最上段のマスト１７の上端部に、該昇降装置５に対して照明バルーン７をオフセットする照明バルーンオフセット装置６を設けてなるバルーン照明機であって、照明バルーンオフセット装置６が、照明バルーン７のバルーン９を膨張又は収縮させるバルーン膨張・収縮装置１０と、バルーン９を垂直状態から所定角度の傾斜状態まで任意の位置で傾斜固定させるバルーン傾斜角度調整装置１１とを備えてなることを特徴とする。【選択図】　図１
2004095517.tif 000002
【特許請求の範囲】
【請求項１】
移動自在の台車と、この台車上に載置した発電機と、前記発電機から供給される電力により発光する電球とこの電球を内部に有するバルーンとからなり、前記バルーンに前記電球からの光を透過させて発光するように構成された照明バルーンと、伸縮自在の複数段のマストからなる昇降装置とを備え、前記昇降装置の最上段のマストの上端部に、該昇降装置に対して照明バルーンをオフセットする照明バルーンオフセット装置を設けてなるバルーン照明機であって、
前記照明バルーンオフセット装置が、前記照明バルーンのバルーンを膨張又は収縮させるバルーン膨張・収縮装置と、前記照明バルーンのバルーンを垂直状態から所定角度の傾斜状態まで任意の位置で傾斜固定させるバルーン傾斜角度調整装置とを備えてなることを特徴とするバルーン照明機。
【請求項２】
前記バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、前記脚部支持装置に前記保持脚部を固定する固定装置とからなり、
前記保持脚部により前記電球支持部材を最下端位置に下降させることにより前記バネ部材がそれぞれ楕円形状に湾曲されてバルーンを膨張させ、前記保持脚部により前記電球支持部材を最上端位置に上昇させることにより前記バネ部材がそれぞれ元の伸びた状態に戻されてバルーンを収縮させることを特徴とする請求項１に記載のバルーン照明機。
【請求項３】
前記バルーン傾斜角度調整装置が、昇降装置の最上段のマストの上端部に連結固定される連結固定部材と、この連結固定部材の上端部に該連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、前記傾斜装置本体に前記連結軸を固定する固定装置とからなり、
前記傾斜装置本体と前記連結軸との間に、該連結軸の回動方向を照明バルーンが垂直状態になる方向へ付勢する付勢部材を設けたことを特徴とする請求項１もしくは請求項２に記載のバルーン照明機。
【請求項４】
前記バルーン傾斜角度調整装置の前記連結固定部材が、該連結固定部材の円筒部に形成された切欠部と、この切欠部に嵌着されて最上段のマストの外周部に当接される磁石部材と、この磁石部材の脱落を防止する脱落防止カバーと、前記磁石部材を最上段のマストの上端部に突設された支持軸に、前記防止カバーを介して押圧する押圧ネジ部と、この押圧ネジ部に螺合されたＷナットとからなる押圧部材とにより構成されていることを特徴とする請求項３に記載のバルーン照明機。
【請求項５】
折り畳み可能な三脚と、前記三脚に配設され、外部電源に電気的に接続されて前記外部電源からの所定電力を供給する電源装置と、前記電源装置から供給される電力により発光する電球とこの電球を内部に有するバルーンとからなり、前記バルーンに前記電球からの光を透過させて発光するように構成された照明バルーンと、伸縮自在の複数段のマストからなる昇降装置とを備え、前記昇降装置の最上段のマストの上端部に、該昇降装置に対して照明バルーンをオフセットする照明バルーンオフセット装置を設けてなるバルーン照明機であって、
前記照明バルーンオフセット装置が、前記照明バルーンのバルーンを膨張又は収縮させるバルーン膨張・収縮装置と、前記照明バルーンのバルーンを垂直状態から所定角度の傾斜状態まで任意の位置で傾斜固定させるバルーン傾斜角度調整装置とを備えてなることを特徴とするバルーン照明機。
【請求項６】
前記バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、前記脚部支持装置に前記保持脚部を固定する固定装置とからなり、
前記保持脚部により前記電球支持部材を最下端位置に下降させることにより前記バネ部材がそれぞれ楕円形状に湾曲されてバルーンを膨張させ、前記保持脚部により前記電球支持部材を最上端位置に上昇させることにより前記バネ部材がそれぞれ元の伸びた状態に戻されてバルーンを収縮させることを特徴とする請求項５に記載のバルーン照明機。
【請求項７】
前記バルーン傾斜角度調整装置が、昇降装置の最上段のマストの上端部に連結固定される連結固定部材と、この連結固定部材の上端部に該連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、前記傾斜装置本体に前記連結軸を固定する固定装置とからなり、
前記傾斜装置本体と前記連結軸との間に、該連結軸の回動方向を照明バルーンが垂直状態になる方向へ付勢する付勢部材を設けたことを特徴とする請求項５もしくは請求項６に記載のバルーン照明機。
【請求項８】
前記バルーン傾斜角度調整装置の前記連結固定部材が、該連結固定部材の円筒部に形成された切欠部と、この切欠部に嵌着されて最上段のマストの外周部に当接される磁石部材と、この磁石部材の脱落を防止する脱落防止カバーと、前記磁石部材を最上段のマストの上端部に突設された支持軸に、前記防止カバーを介して押圧する押圧ネジ部と、この押圧ネジ部に螺合されたＷナットとからなる押圧部材とにより構成されていることを特徴とする請求項７に記載のバルーン照明機。
【請求項９】
前記三脚が、前記昇降装置を支持する折り畳み可能な第１三脚部と、一端が前記第１三脚部の外方側に位置する端部上側に揺動可能に枢結され、他端側が前記第１三脚部の内方側に位置する端部上側に設けられたクランプに係合して折り畳み可能となっており、前記第１三脚部を広げて地上に配置した状態で、他端側が前記クランプに係合して折り畳まれた状態から前記クランプとの係合を解除して外方へ揺動させると他端が地面に当接するように構成された第２三脚部とからなることを特徴とする請求項５から請求項８のうちいずれか一項記載のバルーン照明機。
【請求項１０】
前記昇降装置が、前記三脚に立設された第１マストと、前記第１マストに挿嵌された第２マストと、前記第２マストに挿嵌された第３マストとからなり、前記第１マストの下端部にガススプリング受けを介してガススプリングを設け、前記ガススプリングの上端部に第１滑車を配設し、前記ガススプリング受けに一端を係止した第１ワイヤーロープを前記第１滑車を介して前記第２マストの下端部に他端を係止し、前記第２マストの下端部にサポートマストを設け、前記サポートマストの上端部に第２滑車を配設し、前記ガススプリング受けに一端を係止した第２ワイヤーロープを前記第２滑車を介して前記第３マストの下端部に他端を係止してなることを特徴とする請求項５から請求項９のうちいずれか一項記載のバルーン照明機。
【発明の詳細な説明】
【０００１】
【発明の属する技術分野】
本発明は、土木工事現場やイベント催場などの夜間照明用に使用されるバルーン照明機に関する。
【０００２】
【従来の技術】
道路等の新設、修復工事は、交通規制等のため夜間に行われることが度々であり、また、工事の性質上移動が伴うので移動性のある夜間照明が所望され、移動台車を備えた投光機が用いられている。
【０００３】
従来この種の投光機は、前後輪を備えた台車上に伸縮自在の複数段のマストからなる昇降装置を載置固定し、その最上段のマストの上端部に照明灯を取り付けてなり、ウィンチによりワイヤーロープを巻き解きすることによりマストを介して照明灯を昇降させるようになっている。
【０００４】
【発明が解決しようとする課題】
例えば、道路等の修復工事を夜間に行う場合には、交通規制により片側車線の交通を遮断し、夜間照明用に投光機を使用して工事が施工されている。
【０００５】
ところが、上記の従来の投光機では、照明灯を構成する電球からの光線が直接的に反射されると共にリフレクタで反射された光線がリフレクタの照射範囲内で照射されるため、この光線は眩しく、例えば、反対車線を走行中の車両の運転者の目に直接入ると一瞬目が見えなくなる等のおそれがあり、運転がしづらくなるという問題があった。
【０００６】
そこで、最近、目に優しい照明が得られる照明バルーンを備えたバルーン照明機が使用されている。
【０００７】
このバルーン照明機は、バルーンを膨張させる手段として電気的空気吹込装置が用いられており、この電気的空気吹込装置で常時バルーン内に空気を送り込むことによりバルーンを膨張させている。そして、バルーンの膨張と収縮に連動させて電球が点灯又は消灯するようになっている。
【０００８】
しかしながら、このような従来のバルーン照明機では、電気的空気吹込装置を用いることにより、構造が複雑になると共にコスト高になるという問題があり、また、バルーンが切れたり穴があいたりすると、電球が消灯してしまったり、バルーンが収縮してしまい使用不可能になるという欠点があった。
【０００９】
また、従来のバルーン照明機では、バルーンを膨張又は収縮させたいずれの状態でもバルーンの傾斜角度を変更できないという問題があった。
【００１０】
本発明は、上記のような問題に鑑みてなされたものであり、構造が簡単で且つコストダウンを図ることができ、しかもバルーンの膨張と収縮及びバルーンの傾斜角度の調整を簡単容易に行うことができるバルーン照明機の提供を目的とする。
【００１１】
【課題を解決するための手段】
このような目的達成のため、本発明によるバルーン照明機は、移動自在の台車と、この台車上に載置した発電機と、発電機から供給される電力により発光する電球とこの電球を内部に有するバルーンとからなり、バルーンに電球からの光を透過させて発光するように構成された照明バルーンと、伸縮自在の複数段のマストからなる昇降装置とを備え、昇降装置の最上段のマストの上端部に、該昇降装置に対して照明バルーンをオフセットする照明バルーンオフセット装置を設けてなるバルーン照明機であって、照明バルーンオフセット装置が、照明バルーンのバルーンを膨張又は収縮させるバルーン膨張・収縮装置と、照明バルーンのバルーンを垂直状態から所定角度の傾斜状態まで任意の位置で傾斜固定させるバルーン傾斜角度調整装置とを備えてなることを特徴とする。
【００１２】
このような構成のバルーン照明機によれば、昇降装置の最上段のマストの上端部に、昇降装置に対して照明バルーンをオフセットする照明バルーンオフセット装置を設け、照明バルーンオフセット装置が、照明バルーンのバルーンを膨張又は収縮させるバルーン膨張・収縮装置と、照明バルーンのバルーンを垂直状態から所定角度の傾斜状態まで任意の位置で傾斜固定させるバルーン傾斜角度調整装置とを備えたことにより、昇降装置を最下降位置にさせてバルーン膨張・収縮装置を操作するだけで、簡単、容易にバルーンを膨張状態及び収縮状態にすることができると共に、照明バルーンのバルーン膨張・収縮装置への着脱を簡単、容易に行うことができる。また、昇降装置を最下降位置にさせてバルーン傾斜角度調整装置を操作するだけで、簡単、容易にバルーンを垂直状態から所定角度の傾斜状態まで任意の傾斜角度に調整することができる。
【００１３】
また、バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、脚部支持装置に保持脚部を固定する固定装置とからなり、保持脚部により電球支持部材を最下端位置に下降させることによりバネ部材がそれぞれ楕円形状に湾曲されてバルーンを膨張させ、保持脚部により電球支持部材を最上端位置に上昇させることによりバネ部材がそれぞれ元の伸びた状態に戻されてバルーンを収縮させるようにすることが好ましい。
【００１４】
このようにすれば、バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、脚部支持装置に保持脚部を固定する固定装置とを備える構成としたことにより、照明バルーンのバルーン膨張・収縮装置への着脱を簡単、容易に行うことができると共に、バルーンの膨張、収縮を簡単、容易に行うことができる。
【００１５】
さらに、バルーン傾斜角度調整装置が、昇降装置の最上段のマストの上端部に連結固定される連結固定部材と、この連結固定部材の上端部に連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、傾斜装置本体に連結軸を固定する固定装置とからなり、傾斜装置本体と連結軸との間に、連結軸の回動方向を照明バルーンが垂直状態になる方向へ付勢する付勢部材を設けていることが好ましい。
【００１６】
このようにすれば、バルーン傾斜角度調整装置が、昇降装置の最上段のマストの上端部に連結固定される連結固定部材と、この連結固定部材の上端部に連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、傾斜装置本体に連結軸を固定する固定装置とからなり、傾斜装置本体と連結軸との間に、連結軸の回動方向を照明バルーンが垂直状態になる方向へ付勢する付勢部材を設けた構成としたことにより、照明バルーンの垂直状態での保持を、付勢部材の付勢力により確実にすることができる。
【００１７】
また、バルーン傾斜角度調整装置の連結固定部材が、連結固定部材の円筒部に形成された切欠部と、この切欠部に嵌着されて最上段のマストの外周部に当接される磁石部材と、この磁石部材の脱落を防止する脱落防止カバーと、磁石部材を最上段のマストの上端部に突設された支持軸に、防止カバーを介して押圧する押圧ネジ部と、この押圧ネジ部に螺合されたＷナットとからなる押圧部材とにより構成されていることが好ましい。
【００１８】
このようにすれば、バルーン傾斜角度調整装置の連結固定部材を、連結固定部材の円筒部に形成された切欠部と、この切欠部に嵌着されて最上段のマストの外周部に当接される磁石部材と、この磁石部材の脱落を防止する脱落防止カバーと、磁石部材を最上段のマスト上端部の支持軸に押圧する押圧部材とにより構成したことにより、バルーン傾斜角度調整装置の最上段のマスト上端部の支持軸への連結固定を、磁石部材の磁力によって強力にすることができる。
【００１９】
次に、第２の発明によるバルーン照明機は、折り畳み可能な三脚と、前記三脚に配設され、外部電源に電気的に接続されて外部電源からの所定電力を供給する電源装置と、電源装置から供給される電力により発光する電球とこの電球を内部に有するバルーンとからなり、バルーンに電球からの光を透過させて発光するように構成された照明バルーンと、伸縮自在の複数段のマストからなる昇降装置とを備え、昇降装置の最上段のマストの上端部に、昇降装置に対して照明バルーンをオフセットする照明バルーンオフセット装置を設けてなるバルーン照明機であって、照明バルーンオフセット装置が、照明バルーンのバルーンを膨張又は収縮させるバルーン膨張・収縮装置と、照明バルーンのバルーンを垂直状態から所定角度の傾斜状態まで任意の位置で傾斜固定させるバルーン傾斜角度調整装置とを備えてなることを特徴とする。
【００２０】
このような構成のバルーン照明機によれば、昇降装置の最上段のマストの上端部に、昇降装置に対して照明バルーンをオフセットする照明バルーンオフセット装置を設け、照明バルーンオフセット装置が、照明バルーンのバルーンを膨張又は収縮させるバルーン膨張・収縮装置と、照明バルーンのバルーンを垂直状態から所定角度の傾斜状態まで任意の位置で傾斜固定させるバルーン傾斜角度調整装置とを備えたことにより、昇降装置を最下降位置にさせてバルーン膨張・収縮装置を操作するだけで、簡単、容易にバルーンを膨張状態及び収縮状態にすることができると共に、照明バルーンのバルーン膨張・収縮装置への着脱を簡単、容易に行うことができる。また、昇降装置を最下降位置にさせてバルーン傾斜角度調整装置を操作するだけで、簡単、容易にバルーンを垂直状態から所定角度の傾斜状態まで任意の傾斜角度に調整することができる。
【００２１】
また、バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、脚部支持装置に保持脚部を固定する固定装置とからなり、保持脚部により電球支持部材を最下端位置に下降させることによりバネ部材がそれぞれ楕円形状に湾曲されてバルーンを膨張させ、保持脚部により電球支持部材を最上端位置に上昇させることによりバネ部材がそれぞれ元の伸びた状態に戻されてバルーンを収縮させるようにすることが好ましい。
【００２２】
このようにすれば、バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、脚部支持装置に保持脚部を固定する固定装置とを備える構成としたことにより、照明バルーンのバルーン膨張・収縮装置への着脱を簡単、容易に行うことができると共に、バルーンの膨張、収縮を簡単、容易に行うことができる。
【００２３】
さらに、バルーン傾斜角度調整装置が、昇降装置の最上段のマストの上端部に連結固定される連結固定部材と、この連結固定部材の上端部に連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、傾斜装置本体に連結軸を固定する固定装置とからなり、傾斜装置本体と連結軸との間に、連結軸の回動方向を照明バルーンが垂直状態になる方向へ付勢する付勢部材を設けていることが好ましい。
【００２４】
このようにすれば、バルーン傾斜角度調整装置が、昇降装置の最上段のマストの上端部に連結固定される連結固定部材と、この連結固定部材の上端部に連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、傾斜装置本体に連結軸を固定する固定装置とからなり、傾斜装置本体と連結軸との間に、連結軸の回動方向を照明バルーンが垂直状態になる方向へ付勢する付勢部材を設けた構成としたことにより、照明バルーンの垂直状態での保持を、付勢部材の付勢力により確実にすることができる。
【００２５】
また、バルーン傾斜角度調整装置の連結固定部材が、連結固定部材の円筒部に形成された切欠部と、この切欠部に嵌着されて最上段のマストの外周部に当接される磁石部材と、この磁石部材の脱落を防止する脱落防止カバーと、磁石部材を最上段のマストの上端部に突設された支持軸に、防止カバーを介して押圧する押圧ネジ部と、この押圧ネジ部に螺合されたＷナットとからなる押圧部材とにより構成されていることが好ましい。
【００２６】
このようにすれば、バルーン傾斜角度調整装置の連結固定部材を、連結固定部材の円筒部に形成された切欠部と、この切欠部に嵌着されて最上段のマストの外周部に当接される磁石部材と、この磁石部材の脱落を防止する脱落防止カバーと、磁石部材を最上段のマスト上端部の支持軸に押圧する押圧部材とにより構成したことにより、バルーン傾斜角度調整装置の最上段のマスト上端部の支持軸への連結固定を、磁石部材の磁力によって強力にすることができる。
【００２７】
さらに、三脚が、昇降装置を支持する折り畳み可能な第１三脚部と、一端が第１三脚部の外方側に位置する端部上側に揺動可能に枢結され、他端側が第１三脚部の内方側に位置する端部上側に設けられたクランプに係合して折り畳み可能となっており、第１三脚部を広げて地上に配置した状態で、他端側がクランプに係合して折り畳まれた状態からクランプとの係合を解除して外方へ揺動させると他端が地面に当接するように構成された第２三脚部とからなることが好ましい。
【００２８】
このようにすれば、三脚が、昇降装置を支持する折り畳み可能な第１三脚部と、一端が第１三脚部の外方側に位置する端部上側に揺動可能に枢結された第２三脚部とを備えて構成されているため、より安定した状態で昇降装置を支持することができると共に、第２三脚部の他端側をクランプに係合させることでコンパクトに三脚を折り畳むことができる。
【００２９】
また、昇降装置が、三脚に立設された第１マストと、第１マストに挿嵌された第２マストと、第２マストに挿嵌された第３マストとからなり、第１マストの下端部にガススプリング受けを介してガススプリングを設け、ガススプリングの上端部に第１滑車を配設し、ガススプリング受けに一端を係止した第１ワイヤーロープを第１滑車を介して第２マストの下端部に他端を係止し、第２マストの下端部にサポートマストを設け、サポートマストの上端部に第２滑車を配設し、ガススプリング受けに一端を係止した第２ワイヤーロープを第２滑車を介して第３マストの下端部に他端を係止してなることが好ましい。
【００３０】
このようにすれば、昇降装置にガススプリングを設けているため、昇降装置に構成される第２マスト及び第３マストをワンタッチで昇降させることができる。
【００３１】
【発明の実施の形態】
以下、図面を参照して本発明の好ましい実施形態について説明する。ここで、図１は本発明の実施形態に係るバルーン照明機の照明バルーンが収納状態にされた様子を示す側面図、図２はバルーン照明機の照明バルーンが垂直状態にされた様子を示す側面図、図３はバルーン照明機の照明バルーンが使用状態にある様子を示す側面図、図４はバルーン照明機の照明バルーンが最上昇位置で使用状態にある様子を示す側面図、図５はバルーン照明機の照明バルーンの照明角度が変更された状態にある様子を示す側面図である。
【００３２】
このバルーン照明機１は、図１乃至図５に示すように、左右一対の前輪２と後輪３とを備え、移動自在の台車４と、この台車４上に設けられた伸縮可能な昇降装置５と、この昇降装置５の上端に着脱可能に取り付けられた照明バルーンオフセット装置６と、この照明バルーンオフセット装置６を介して取り付けられた照明バルーン７とから構成されている。また、台車４上には、発電機８が載置固定されている。
【００３３】
照明バルーンオフセット装置６は、昇降装置５の第３マスト１７の上端部に取り付けられ、照明バルーン７のバルーン９を膨張又は収縮させるバルーン膨張・収縮装置１０と、照明バルーン７を垂直状態から所定角度の傾斜状態まで任意の位置で傾斜固定されるバルーン傾斜角度調整装置１１とを備えている。
【００３４】
また、台車４には、前後輪２，３の方向変換用の操向ハンドル１２と、後輪３を制動するブレーキ装置１３と、左右一対のアウトリガー１４が設けられている。
【００３５】
昇降装置５は、台車４上に立設固定された第１マスト１５と、第１マスト１５内に出入り自在に挿嵌された第２マスト１６と、第２マスト１６内に出入り自在に挿嵌された第３マスト１７とからなり、この第３マスト１７の上端部には、照明バルーンオフセット装置６が取り付けられている。そして、第２マスト１６及び第３マスト１７は、第１マスト１５に取り付けられたウィンチ１８のハンドル１９を回してワイヤーロープ２０を巻き取ることにより、第３マスト１７、第２マスト１６の順に段階的に上昇する。また、ウィンチ１８のハンドル１９を逆回転してワイヤーロープ２０を繰り出すことにより、第２マスト１６、第３マスト１７の順に段階的に下降する。
【００３６】
照明バルーン７は、図４、図６及び図７に示すように、薄い可撓性の材料からなる膨張可能なバルーン９と、このバルーン９内の中央位置に配置された照明装置２１とを備えている。
【００３７】
バルーン９は、膨張状態において略楕円形態を呈し、長軸に沿って上下の半楕円部９ａ，９ｂに分割され、これら上下の半楕円部９ａ，９ｂをマジックテープ（登録商標）等の面状ファスナ２２により係脱可能につなぎ合わせて形成されている。バルーン９の材料としては、例えば、プラスチック処理が施された白色の布や、単純な白色のプラスチック製フィルム等がある。そして、上側の半楕円部９ａの内側は、アルミコーティングされた光反射板になっている。また、下側の半楕円部９ｂの内面には、後述するピアノ線等からなる複数のバネ部材２３をそれぞれ挿通させる複数のチューブ部９ｃが形成されている。
【００３８】
照明装置２１は、電球２４と、この電球２４を保護する保護枠体２５とからなる。電球２４は、メタルハライド型であるとよく、また高電力（例えば、１０００Ｗ）で、二重壁の細長い管により形成されている。
【００３９】
保護枠体２５は、電球２４を取り囲み等間隔に配置された複数個の保護柱２６，２６，…を有し、それぞれの保護柱２６，２６，…の各上端が上部支持部材２７で固定されると共にそれぞれの保護柱２６，２６，…の各下端が電球支持部材２８で固定されることにより、保護枠体２５の形状を確保すると共に、電球支持部材２８の中央に固定されたスリーブ２９に電球２４を立設するようになっている。
【００４０】
保護枠体２５の上部支持部材２７は、その中央上方に円筒部３０を有し、この円筒部３０の外周にバルーン９の上側を支持する円板状の上側支持部３１が形成されている。上側支持部３１の下面外周付近には複数の支持ブラケット３２，３２，…が設けられている。そして、スリーブ２９に立設された電球２４の上部外周を係止金具３３で係止して、この係止金具３３の上方延出部３３ａを上部支持部材２７の円筒部３０の内部に下方から挿入して係止することにより、電球２４の動揺を防止するようにしている。
【００４１】
また、バルーン９をなす上側の半楕円部９ａの上部中心に形成された孔３４に上部支持部材２７の円筒部３０を挿入して上側支持部３１で支持すると共に、円筒部３０の上部にキャップ形状の抜止め部材３５を嵌合固定することによってバルーン９の上部を固定支持している。
【００４２】
また、保護枠体２５の下部をなす電球支持部材２８の中央には下方に延設された長尺の保持脚部３６の上端が連結固定されている。保持脚部３６には、図１０に示すように、照明バルーン７のバルーン９が膨張状態にあるときの上端側とバルーン９が収縮状態にある下端側とに、それぞれ係止孔３６ａ，３６ｂが設けられている。これら係止孔３６ａ，３６ｂには、後述する固定装置４０のピン５１が係合される。
【００４３】
上部支持部材２７側のバルーン９の上側支持部３１と、後述する照明バルーン取付部３７側のバルーン９の下側支持部５８との間には、複数のバネ部材２３が周方向に等間隔で配置されている。これらバネ部材２３はバルーン９における下側の半楕円部９ｂの内面に設けられた複数のチューブ部９ｃに挿通されると共に、それぞれのバネ部材２３の各上端は上側支持部３１の各支持ブラケット３２，３２，…にピンで回動自在に取り付けられ、また、それぞれのバネ部材２３の各下端は後述するバルーン９の下側を支持する下側支持部５８の各支持ブラケット５９，５９，…にピンで回動自在に取り付けられている。
【００４４】
次に、照明バルーンオフセット装置６について説明する。この照明バルーンオフセット装置６は、図８及び図９に示すように、照明バルーン７を昇降装置５に対してオフセットさせた状態で、照明バルーン７のバルーン９を膨張又は収縮させるバルーン膨張・収縮装置１０と、照明バルーン７を垂直状態から所定角度の傾斜状態までの任意の傾斜角度に調整するバルーン傾斜角度調整装置１１とから構成される。
【００４５】
バルーン膨張・収縮装置１０は、バルーン膨張・収縮装置１０が取り付られる照明バルーン取付装置３７を備え、照明バルーン取付装置３７は、バルーン傾斜角度調整装置１１に連結軸３８を介して連結された脚部支持装置３９と、この脚部支持装置３９に嵌着される照明バルーン７の保持脚部を固定する固定装置４０とを有して構成される。
【００４６】
脚部支持装置３９は、図１０に示すように、連結軸３８に上下直行方向に連結される連結部としての外筒部４１と、この外筒部４１に嵌着される脚部支持部としての内筒部４２とから構成されている。外筒部４１は軸方向に沿って左右一対の半円筒部４１ａ，４１ｂに分割され、これら半円筒部４１ａ，４１ｂの一側係合部は上下一対の蝶番４３により連結し、他側係合部を開閉可能に形成されている。
【００４７】
また、半円筒部４１ａ，４１ｂの他側係合部には、両半円筒部４１ａ，４１ｂを開閉可能に円筒状に係合させる係合手段４４が設けられている。この係合手段４４は、図１１に示すように、一方の半円筒部４１ａに設けられた支持ブラケット４５と、他方の半円筒部４１ｂに設けられた係止部４６を、基部が支持ブラケット４５にピン軸４７を介して回動自在に連結されると共に先端部が係止部４６の係止溝４６ａに係脱可能に係合されるネジ軸４８と、このネジ軸４８に螺着された蝶ナット４９とにより構成されている。
【００４８】
脚部支持装置３９の内筒部（脚部支持部）４２の支持孔４２ａに嵌着される照明バルーン７の保持脚部３６を固定する固定装置４０は、外筒部４１の軸方向に分割された左右一対の半円筒部４１ａ，４１ｂにおける開閉可能な他側係合部に設けられており、本実施形態では、インデックスプランジャにより構成されている。このインデックスプランジャは、外周部にネジ５０を有し、内部ににピン５１とこのピン５１を突出方向へ付勢するスプリング５２とを内装する本体５３と、この本体５３に連接されスプリング５２の付勢力を調節する操作ノブ５４及び外周部のネジ５０に螺合されたロックナット５５とから構成されている。
【００４９】
そして、操作ノブ５４を引き、９０°回転させることにより、ピン５１を引っ込めた状態にロックすることができる。また、ピン５１のロック解除は、操作ノブ５４をわずかに引き、９０°回転させることにより、スプリング５２の付勢力で元の状態に戻すことができる。
【００５０】
本実施形態では、脚部支持装置３９の外筒部（連結部）４１に設けた取付孔５６から本体５３を挿入し、外周部を内筒部（脚部支持部）４２に形成した係合孔５７に係合させロックナット５５により脚部支持装置３９に固定している。照明バルーン７の保持脚部３６は、脚部支持装置３９の内筒部（脚部支持部）４２の支持孔４２ａに上下移動可能に挿通され、その上端部に電球支持部材２８が連結されている。また、下端部には昇降操作用の握手７７が設けられている。
【００５１】
そして、外筒部４１の上端部外周には、バルーン９の下側を支持する円板状の下側支持部５８が形成され、この下側支持部５８の上面外周付近には複数の支持ブラケット５９，５９，…が設けられている。また、内筒部４２には、下側支持部５８より所定長さ上方へ突出され、その上端部が電球支持部材２８の最下降位置のストッパーとなっている。
【００５２】
バルーン傾斜角度調整装置１１は、昇降装置５の第３マスト１７の上端部に設けられた支持軸１７ａに連結固定する円筒状の連結固定部材６０と、この連結固定部材６０の上端部に支持部材６１を介して連結固定部材６０と直交方向に設けられた円筒状の傾斜装置本体６２と、この傾斜装置本体６２に回動自在に支持され、その先端部を照明バルーン７の保持脚部３６を支持する脚部支持装置３９に連結させた連結軸３８とにより構成されている。
【００５３】
連結軸３８の一端側は傾斜装置本体６２に形成された支持孔６３に回動自在に支持され、他端側は照明バルーン取付装置３７の脚部支持装置３９の外筒部（連結部）４１に連結固定されている。
【００５４】
そして、傾斜装置本体６２と連結軸３８との間に、この連結軸３８の回動方向を照明バルーン７が垂直状態になる方向に付勢する付勢部材６４が設けられている。付勢部材６４は、コイルスプリングで形成されており、このコイルスプリング内に連結軸３８を挿通させて一端側が傾斜装置本体６２上に固設されたスプリング受け部材６５で支持され、他端側は連結軸３８の外周に固設されたスプリング受け部材６６で支持されている。
【００５５】
また、傾斜装置本体６２には、この傾斜装置本体６２と連結軸３８とを連結固定する固定装置６７が設けられている。固定装置６７は、図１４に示すように、インデックスプランジャで形成され、連結軸３８に形成された複数の係止孔６８にピン５１がそれぞれ係脱可能に係合して、連結軸３８を所定の傾斜角度（照明バルーン７の傾斜角度）で固定する。
【００５６】
また、本実施形態では、傾斜装置本体６２に形成された係合孔６９に固定装置６７の本体５３を係合させ、ロックナット５５により連結軸３８を傾斜装置本体６２に固定するようになっている。なお、バルーン傾斜角度調整装置１１の固定装置６７は、バルーン膨張・収縮装置１０の固定装置６７と同じインデックスプランジャで形成されているので、詳細な説明を省略する。
【００５７】
また、本実施形態では、図１４に示される連結軸３８に形成された係止孔６８ａに固定装置６７のピン５１が係合した状態で、バルーン９が図２に示される垂直状態で固定され、また、係止孔６８ｂに固定装置６７のピン５１が係合した状態で、バルーン９が図５に示される４５°の傾斜状態で固定され、また、係止孔６８ｃに固定装置６７のピン５１が係合した状態で、バルーン９が図１に示される１１０°の傾斜状態で固定されるように構成されている。
【００５８】
バルーン傾斜角度調整装置１１を昇降装置５の第３マスト１７の上端部の支持軸１７ａに連結固定する連結固定部材６０は、図１２及び図１３に示すように、連結固定部材６０の円筒部７０に形成された切欠部７０ａと、この切欠部７０ａに嵌着されて最上段の第３マスト１７の外周部に当接される磁石部材７１と、磁石部材７１の脱落を防止する脱落防止カバー７２と、磁石部材７１を最上段の第３マスト１７の上端部に突設された支持軸１７ａに脱落防止カバー７２を介して押圧する押圧ネジ部７３ａを有する押圧軸７３と、押圧ネジ部７３ａに螺合されたＷナット７４と、押圧軸７３の先端部に設けられた押圧ネジ部７３ａのねじ込み操作用の握手７５とからなる押圧部材７６とにより構成されている。これにより、バルーン傾斜角度調整装置１１の最上段の第３マスト１７上端部の支持軸１７ａへの連結固定を、磁石部材７１の磁力によって強力にすることができる。
【００５９】
このように構成されるバルーン照明機１において、照明バルーン７を使用状態にするには、まず、照明バルーン７の保持脚部３６を、照明バルーン取付装置３７の脚部支持装置３９にバルーン９を収納状態で連結固定する（図１参照）。
【００６０】
ついで、図１に示す収納状態の照明バルーン７の保持脚部３６をバルーン傾斜角度調整装置１１の連結軸３８を介して下方へ向けて回動移動させ、照明バルーン７を上方へ向けて回動移動させることにより照明バルーン７を垂直状態にする（図２参照）。
【００６１】
このとき、傾斜装置本体６２に連結軸３８を介して連結固定されている照明バルーン取付装置３７には、照明バルーン７を垂直状態になる方向に付勢する付勢部材６４が設けられているので、照明バルーン７を軽く起こすことができ、さらに照明バルーン７の垂直状態での保持を、付勢部材６４の付勢力により確実にすることができる。
【００６２】
そして、照明バルーン７の保持脚部３６を下方へ引き下げて電球支持部材２８を最下端位置に位置させ、バネ部材２３をそれぞれ楕円形状に湾曲させることによりバルーン９を膨張状態にし、保持脚部３６の基端部（上端部）の係止孔３６ａに固定装置４０のピン５１を係合させて、保持脚部３６を照明バルーン取付装置３７の脚部支持装置３９に固定すると共に固定装置６７により連結軸３８を傾斜装置本体６２に固定する（図３参照）。これにより、照明バルーン７が使用状態となる。
【００６３】
この状態から、照明バルーン７を最上昇位置での使用状態にする場合には、第１マスト１５に取り付けられたウィンチ１８のハンドル１９を回してワイヤーロープ２０を巻き取ることにより、第３マスト１７、第２マスト１６の順に段階的に上昇させる。これに伴って、照明バルーン取付装置３７の脚部支持装置３９を介して照明バルーン７が最上昇位置まで上昇し、最上昇位置での使用状態になる（図４参照）。
【００６４】
また、照明バルーン７の照明角度を変更する場合には、ウィンチ１８のハンドル１９を逆回転してワイヤーロープ２０を繰り出すことにより、第２マスト１６、第３マスト１７の順に段階的に下降させ、この状態で保持脚部３６をバルーン傾斜角度調整装置１１の連結軸３８を介して上方へ向けて回動移動させることにより、照明バルーン７を下方へ向けて回動移動させて所望の傾斜角度位置に固定する（図５参照）。
【００６５】
この状態から照明バルーン７を収納するときには、照明バルーン７の保持脚部３６をバルーン傾斜角度調整装置１１の連結軸３８を介して下方へ向けて回動移動させることにより照明バルーン７を垂直状態にし、この状態で保持脚部３６の基端部（上端部）の係止孔３６ａから固定装置４０のピン５１を離脱して、保持脚部３６の照明バルーン取付装置３７における脚部支持装置３９への固定を解除する。
【００６６】
そしてこの状態で、照明バルーン７の保持脚部３６を照明バルーン７内へ押し上げて電球支持部材２８を最上端位置に上昇させることにより、バネ部材２３をそれぞれ元の伸びた状態に戻してバルーン９を収縮状態にさせる。さらにこの状態で、保持脚部３６をバルーン傾斜角度調整装置１１の連結軸３８を介して上方へ向けて回動移動させることにより、照明バルーン７を図１に示すように収納状態にする。従って、照明バルーン７をコンパクトに収納でき、高さ方向に嵩張らないため、トラックでの運搬や倉庫への格納を容易に行うことができる。
【００６７】
以上のような構成のバルーン照明機１によれば、昇降装置５の最上段の第３マスト１７の上端部に、昇降装置５に対して照明バルーン７をオフセットする照明バルーンオフセット装置６を設け、照明バルーンオフセット装置６が、照明バルーン７のバルーン９を膨張又は収縮させるバルーン膨張・収縮装置１０と、照明バルーン７のバルーン９を垂直状態から所定角度の傾斜状態まで任意の位置で傾斜固定させるバルーン傾斜角度調整装置１１とを備えたことにより、昇降装置５を最下降位置にさせてバルーン膨張・収縮装置１０を操作するだけで、簡単、容易にバルーン９を膨張状態及び収縮状態にすることができると共に、照明バルーン７のバルーン膨張・収縮装置１０への着脱を簡単、容易に行うことができる。また、昇降装置５を最下降位置にさせてバルーン傾斜角度調整装置１１を操作するだけで、簡単、容易にバルーン９を垂直状態から所定角度の傾斜状態まで任意の傾斜角度に調整することができる。
【００６８】
また、バルーン膨張・収縮装置１０が、上部支持部材２７側のバルーン９の上側支持部３１と、照明バルーン取付装置３７側のバルーン９の下側支持部５８との間に配置された複数のバネ部材２３と、脚部支持装置３９を形成する内筒部４２の支持孔４２ａに上下可能に嵌着され、その上端部が電球支持部材２８に連結された照明バルーン７の保持脚部３６と、脚部支持装置３９に保持脚部３６を固定する固定装置４０とを備える構成としたことにより、照明バルーン７のバルーン膨張・収縮装置１０への着脱を簡単、容易に行うことができると共に、バルーン９の膨張、収縮を簡単、容易に行うことができる。
【００６９】
さらに、バルーン傾斜角度調整装置１１が、昇降装置５の最上段の第３マスト１７の上端部に連結固定される連結固定部材６０と、この連結固定部材６０の上端部に連結固定部材６０に直交する方向に向けられて配設固定された円筒状の傾斜装置本体６２と、この傾斜装置本体６２に回動自在に軸支され、その先端部を照明バルーン７の保持脚部３６を支持する脚部支持装置３９に連結固定された連結軸３８と、傾斜装置本体６２に連結軸３８を固定する固定装置６７とからなり、傾斜装置本体６２と連結軸３８との間に、連結軸３８の回動方向を照明バルーン７が垂直状態になる方向へ付勢する付勢部材６４を設けた構成としたことにより、照明バルーン７の垂直状態での保持を、付勢部材６４の付勢力により確実にすることができる。
【００７０】
また、バルーン傾斜角度調整装置１１の連結固定部材６０を、連結固定部材６０の円筒部７０に形成された切欠部７０ａと、この切欠部７０ａに嵌着されて最上段の第３マスト１７の外周部に当接される磁石部材７１と、この磁石部材７１の脱落を防止する脱落防止カバー７２と、磁石部材７１を最上段の第３マスト１７上端部の支持軸１７ａに押圧する押圧部材７６とにより構成したことにより、バルーン傾斜角度調整装置１１の最上段の第３マスト１７上端部の支持軸１７ａへの連結固定を、磁石部材７１の磁力によって強力にすることができる。
【００７１】
次に、本発明によるバルーン照明機の第二実施形態について図１５〜図１９を参照して説明する。なお、本実施例のバルーン照明機１０１は、上述した第一実施例のバルーン照明機１と昇降装置５から下の部分の形状のみ異なり、他の装置構成は同様であるため同一部位に同一番号を付して重複説明を省略する。
【００７２】
ここで、図１５は本発明の第二実施形態に係るバルーン照明機の照明バルーンが使用状態にある様子を示す正面図、図１６はバルーン照明機の照明バルーンが最上昇位置で使用状態にある様子を示す正面図、図１７（ａ）は本発明の第二実施形態に係るバルーン照明機に構成される昇降装置の側断面図、図１７（ｂ）は昇降装置の正断面図、図１８（ａ）は本発明の第二実施形態に係るバルーン照明機に構成される伸長防止装置の係合状態を示す側断面図、そして図１８（ｂ）は伸長防止装置の離脱状態を示す側断面図である。
【００７３】
本実施例におけるバルーン照明機１０１は、図１５乃至図１６に示すように、三脚１１０と、この三脚１１０上に設けられた伸縮可能な昇降装置１２０と、この昇降装置１３０の上端に着脱可能に取り付けられた照明バルーンオフセット装置６と、この照明バルーンオフセット装置６を介して取り付けられた照明バルーン７とから構成されている。また、三脚１１０には、所定の電力を供給する電源装置１２０が配設されている。
【００７４】
照明バルーンオフセット装置６は、昇降装置１３０の第３マスト１３３の上端部に取り付けられ、照明バルーン７のバルーン９を膨張又は収縮させるバルーン膨張・収縮装置１０と、照明バルーン７を垂直状態から所定角度の傾斜状態まで任意の位置で傾斜固定されるバルーン傾斜角度調整装置１１とを備えている。
【００７５】
三脚１１０は、昇降装置１３０を支持する第１三脚部１１１，１１１，１１１と、一端がこの第１三脚部１１１，１１１，１１１の外方側に位置する端部上側に揺動可能に枢結された第２三脚部１１６，１１６，１１６とから構成されている。第１三脚部１１１，１１１，１１１は内方へ折り畳み可能に構成されており、第１三脚部１１１，１１１，１１１を内方へ折り畳むことでバルーン照明機１０１をコンパクトに収納することができる。一方、第１三脚部１１１，１１１，１１１を外方へ広げることで、図１５乃至図１６に示すように昇降装置１３０を安定支持することができるようになっている。
【００７６】
第２三脚部１１６は、第１三脚部１１１と同程度の幅を有して棒状に形成され、一端が第１三脚部１１１の外方側に位置する端部上側に揺動可能に枢結されるように構成される。第２三脚部１１６を上方へ揺動させると、第２三脚部１１６の他端側が第１三脚部１１１の内方側に位置する端部上側に設けられたクランプ１１２に係合し、第２三脚部１１６を第１三脚部１１１側に折り畳むことができるように構成されている。また、第１三脚部１１１，１１１，１１１を広げて地上に配置した状態で、第２三脚部１１６が折り畳まれた状態からクランプ１１２との係合を解除して第２三脚部１１６を外方へ揺動させると、第２三脚部１１６の他端が地面に当接するように構成されている。これにより、より安定した状態で昇降装置１３０を支持することができると共に、第２三脚部１１６の他端側をクランプ１１２に係合させることでコンパクトに三脚１１０を折り畳むことができる。
【００７７】
昇降装置１３０は、三脚１１０上に立設固定された第１マスト１３１と、第１マスト１３１内に出入り自在に挿嵌された第２マスト１３２と、第２マスト１３２内に出入り自在に挿嵌された第３マスト１３３とからなり、この第３マスト１３３の上端部には、照明バルーンオフセット装置６が取り付けられている。
【００７８】
図１７（ａ）及び図１７（ｂ）に示すように、第１マスト１３１内の下端部にはガススプリング受け１３４が設けられており、このガススプリング受け１３４の中心部にガススプリング１３５の下端部が固定されている。ガススプリング１３５の上端には、第１滑車１３６を回転自在に支持する滑車支持枠１３７が連結されている。
【００７９】
第１マスト１３１の下端部内壁には、第１ワイヤ受け部材１３８が設けられ、この第１ワイヤ受け部材１３８に第２マスト１３２のサポートマスト１３９の下端部が連結されている。サポートマスト１３９は第３マスト１３３内で滑車支持枠１３７の上方位置まで延設されており、その上端部に第２滑車１４０が回転自在に支持されている。
【００８０】
そして、一端をガススプリング受け１３４に係止された第１ワイヤーロープ１４１が、第１滑車１３６にガイドされて、第２マスト１３２の下端部に設けられた第１ワイヤ受け部材１３８に他端が係止されている。また、一端をガススプリング受け１３４に係止された第２ワイヤーロープ１４２が、第２滑車１４０にガイドされて、第３マスト１３３の下端部に設けられた第２ワイヤ受け部材１４３に他端が係止されている。
【００８１】
第１マスト１３１の上端部内壁にはスライドガイド１４４が設けられ、また第２マスト１３２の下端部外壁にはスライドガイド１４４に係合するストッパ部材１４５が設けられている。また、第２マスト１３２の上部には、昇降装置１３０を昇降させるときに用いるハンドル１４６が取り付けられている（図１５及び図１６参照）。
【００８２】
第１マスト１３１の上端部と第３マスト１３３の上端部との間には、図１８（ａ）及び図１８（ｂ）に示すように、昇降装置１３０が最下降位置で第２マスト１３２及び第３マスト１３３の伸長を防止する伸長防止装置１５０が設けられている。伸長防止装置１５０は、図１８に示すように、第３マスト１３３の外壁に設けられた伸長防止フック１５１と、第１マスト１３１の外壁に設けられ伸長防止フック１５１と係脱可能に係合する伸長防止フック受け部材１５６とから構成される。
【００８３】
伸長防止フック１５１は、第３マスト１３３の外壁に固設された取付板１５２に取り付けられたフック支持枠１５３と、このフック支持枠１５３に揺動可能に支持されたフック部１５４とからなり、フック部１５４の下端部には鈎状の係合部１５５が形成されている。そして、フック部１５４は図示しないスプリングにより第３マスト１３３の外側に付勢されている。また、フック支持枠１５３の下端部には図示しないピンを抜き差し可能なピン孔１５３ａが穿設されている。
【００８４】
一方、伸長防止フック受け部材１５６は、第１マスト１３１の外壁に固設された取付板１５７に取り付けられ、フック部１５４の係合部１５５を係脱可能に係止する係止部材１５８と、フック支持枠１５３のピン孔１５３ａに対応して形成された長孔１５９とが設けられている。
【００８５】
電源装置１２０は、図１５乃至図１６に示すように、ランプ安定器１２１と、ランプ安定器１２１と電気的に接続されるケーブル１２２とを主体として構成され、照明バルーン７の電球２４が、ケーブル１２２によりランプ安定器１２１を介して発電機等の電源（図示せず）と電気的に接続されるようになっている。そして、電源から所定の電力がケーブル１２２によりランプ安定器１２１を介して電球２４に供給され、電球２４が点灯するようになっている。
【００８６】
照明バルーンオフセット装置６および照明バルーン７、そして照明バルーンオフセット装置６に構成されるバルーン膨張・収縮装置１０およびバルーン傾斜角度調整装置１１の装置構成については、第一実施形態のものと同様であるため詳細な説明を省略する。なお、本実施形態において、バルーン傾斜角度調整装置１１の連結固定部材６０には、第一実施形態における昇降装置５の第３マスト１７上端部の支持軸１７ａに代わり、図１５乃至図１６に示すように、昇降装置１３０の第３マスト１３３上端に突設された支持軸１３３ａが連結固定されている。
【００８７】
このように構成されるバルーン照明機１０１において、照明バルーン７を使用状態にするには、まず、三脚１１０の第１三脚部１１１，１１１，１１１を広げて地上に配置し、第２三脚部１１６を外方へ揺動させて第２三脚部１１６の他端を地面に当接させ、第一実施形態におけるバルーン照明機１と同様に、照明バルーン７の保持脚部３６を、照明バルーン取付装置３７の脚部支持装置３９にバルーン９を収納状態で連結固定する。
【００８８】
ついで、第一実施形態におけるバルーン照明機１と同様に、収納状態の照明バルーン７の保持脚部３６をバルーン傾斜角度調整装置１１の連結軸３８を介して下方へ向けて回動移動させ、照明バルーン７を上方へ向けて回動移動させることにより照明バルーン７を垂直状態にする。
【００８９】
このとき、第一実施形態におけるバルーン照明機１と同様に、傾斜装置本体６２に連結軸３８を介して連結固定されている照明バルーン取付装置３７には、照明バルーン７を垂直状態になる方向に付勢する付勢部材６４が設けられているので、照明バルーン７を軽く起こすことができ、さらに照明バルーン７の垂直状態での保持を、付勢部材６４の付勢力により確実にすることができる。
【００９０】
そして、第一実施形態におけるバルーン照明機１と同様に、照明バルーン７の保持脚部３６を下方へ引き下げて電球支持部材２８を最下端位置に位置させ、バネ部材２３をそれぞれ楕円形状に湾曲させることによりバルーン９を膨張状態にし、保持脚部３６の基端部（上端部）の係止孔３６ａに固定装置４０のピン５１を係合させて、保持脚部３６を照明バルーン取付装置３７の脚部支持装置３９に固定すると共に固定装置６７により連結軸３８を傾斜装置本体６２に固定する。これにより、照明バルーン７が使用状態となる（図１５参照）。
【００９１】
この状態から、照明バルーン７を最上昇位置での使用状態にする場合には、まず、図１８（ａ）の状態から伸長防止フック１５１のフック支持枠１５３と伸長防止フック受け部材１５６とのピン孔１５３ａ及び長孔１５９に差し込んでいる図示しないピンを抜き取り、伸長防止フック１５１のフック部１５４を外側に引っ張りながら第３マスト１３３を若干上方へ持ち上げてフック部１５４の係合部１５５を伸長防止フック受け部材１５６の係止部材１５８から離脱させて伸長防止装置１５０のロックを解除し、図１８（ｂ）の状態にする。
【００９２】
ついで、ハンドル１４６を上方へ押し上げる。ハンドル１４６を上方へ押し上げると、ガススプリング１３５が伸長し、このガススプリング１３５の伸長に伴って一端がガススプリング受け１３４に係止され、第１滑車１３６を介して他端が第３マスト１３３の下端部に係止されている第１ワイヤーロープ１４１により第２マスト１３２が上昇移動するとともに、この第２マスト１３２に連結されているサポートマスト１３９も上昇移動する。
【００９３】
第２マスト１３２とサポートマスト１３９が上昇移動すると、一端がガススプリング受け１３４に係止され、第２滑車１４０を介して他端が第３マスト１３３の下端に係止されている第２ワイヤーロープ１４２により第３マスト１３３が上昇移動する。これに伴って、照明バルーン取付装置３７の脚部支持装置３９を介して照明バルーン７が最上昇位置まで上昇し、最上昇位置での使用状態になる（図１６参照）。
【００９４】
また、照明バルーン７を下降させて照明バルーン７の照明角度を変更する場合には、まず、ハンドル１４６を下方へ引き下げる。ハンドル１４６を下方へ引き下げると、ガススプリング１３５が短縮し、このガススプリング１３５の短縮に伴って、第２マスト１３２及び第３マスト１３３が自重で下降移動し、これに伴って照明バルーン７が最下降位置まで下降する。
【００９５】
ついで、伸長防止フック１５１を伸長防止フック受け部材１５６に係止させ、両者のピン孔１５３ａ及び長孔１５９に図示しないピンを差し込んで伸長防止装置１５０をロックする。そしてこの状態で、保持脚部３６をバルーン傾斜角度調整装置１１の連結軸３８を介して上方へ向けて回動移動させることにより、照明バルーン７を下方へ向けて回動移動させて所望の傾斜角度位置に固定する（図５参照）。
【００９６】
この状態から照明バルーン７を収納するときには、第一実施形態におけるバルーン照明機１と同様に、照明バルーン７の保持脚部３６をバルーン傾斜角度調整装置１１の連結軸３８を介して下方へ向けて回動移動させることにより照明バルーン７を垂直状態にし、この状態で保持脚部３６の基端部（上端部）の係止孔３６ａから固定装置４０のピン５１を離脱して、保持脚部３６の照明バルーン取付装置３７における脚部支持装置３９への固定を解除する。
【００９７】
そしてこの状態で、照明バルーン７の保持脚部３６を照明バルーン７内へ押し上げて電球支持部材２８を最上端位置に上昇させることにより、バネ部材２３をそれぞれ元の伸びた状態に戻してバルーン９を収縮状態にさせる。さらにこの状態で、保持脚部３６をバルーン傾斜角度調整装置１１の連結軸３８を介して上方へ向けて回動移動させることにより、照明バルーン７を収納状態にし、三脚１１０の第２三脚部１１６を上方へ揺動させて第２三脚部１１６を第１三脚部１１１側に折り畳んだ後、第１三脚部１１１，１１１，１１１を内方へ折り畳む。従って、照明バルーン７をコンパクトに収納でき、高さ方向に嵩張らないため、トラックでの運搬や倉庫への格納を容易に行うことができる。
【００９８】
以上のような構成のバルーン照明機１０１によれば、昇降装置１３０の最上段の第３マスト１３３の上端部に、昇降装置１３０に対して照明バルーン７をオフセットする照明バルーンオフセット装置６を設け、照明バルーンオフセット装置６が、照明バルーン７のバルーン９を膨張又は収縮させるバルーン膨張・収縮装置１０と、照明バルーン７のバルーン９を垂直状態から所定角度の傾斜状態まで任意の位置で傾斜固定させるバルーン傾斜角度調整装置１１とを備えたことにより、昇降装置１３０を最下降位置にさせてバルーン膨張・収縮装置１０を操作するだけで、簡単、容易にバルーン９を膨張状態及び収縮状態にすることができると共に、照明バルーン７のバルーン膨張・収縮装置１０への着脱を簡単、容易に行うことができる。また、昇降装置１３０を最下降位置にさせてバルーン傾斜角度調整装置１１を操作するだけで、簡単、容易にバルーン９を垂直状態から所定角度の傾斜状態まで任意の傾斜角度に調整することができる。
【００９９】
また、バルーン膨張・収縮装置１０が、上部支持部材２７側のバルーン９の上側支持部３１と、照明バルーン取付装置３７側のバルーン９の下側支持部５８との間に配置された複数のバネ部材２３と、脚部支持装置３９を形成する内筒部４２の支持孔４２ａに上下可能に嵌着され、その上端部が電球支持部材２８に連結された照明バルーン７の保持脚部３６と、脚部支持装置３９に保持脚部３６を固定する固定装置４０とを備える構成としたことにより、照明バルーン７のバルーン膨張・収縮装置１０への着脱を簡単、容易に行うことができると共に、バルーン９の膨張、収縮を簡単、容易に行うことができる。
【０１００】
さらに、バルーン傾斜角度調整装置１１が、昇降装置１３０の最上段の第３マスト１３３の上端部に連結固定される連結固定部材６０と、この連結固定部材６０の上端部に連結固定部材６０に直交する方向に向けられて配設固定された円筒状の傾斜装置本体６２と、この傾斜装置本体６２に回動自在に軸支され、その先端部を照明バルーン７の保持脚部３６を支持する脚部支持装置３９に連結固定された連結軸３８と、傾斜装置本体６２に連結軸３８を固定する固定装置６７とからなり、傾斜装置本体６２と連結軸３８との間に、連結軸３８の回動方向を照明バルーン７が垂直状態になる方向へ付勢する付勢部材６４を設けた構成としたことにより、照明バルーン７の垂直状態での保持を、付勢部材６４の付勢力により確実にすることができる。
【０１０１】
また、バルーン傾斜角度調整装置１１の連結固定部材６０を、連結固定部材６０の円筒部７０に形成された切欠部７０ａと、この切欠部７０ａに嵌着されて最上段の第３マスト１３３の外周部に当接される磁石部材７１と、この磁石部材７１の脱落を防止する脱落防止カバー７２と、磁石部材７１を最上段の第３マスト１３３上端部の支持軸１３３ａに押圧する押圧部材７６とにより構成したことにより、バルーン傾斜角度調整装置１１の最上段の第３マスト１３３上端部の支持軸１３３ａへの連結固定を、磁石部材７１の磁力によって強力にすることができる。
【０１０２】
さらに、三脚１１０が、昇降装置１３０を支持する折り畳み可能な第１三脚部１１１と、一端が第１三脚部１１１の外方側に位置する端部上側に揺動可能に枢結された第２三脚部１１２とを備えて構成されているため、より安定した状態で昇降装置１３０を支持することができると共に、第２三脚部１１２の他端側をクランプに係合させることでコンパクトに三脚１１０を折り畳むことができる。
【０１０３】
また、昇降装置１３０にガススプリング１３５を設けているため、昇降装置１３０に構成される第２マスト１３２及び第３マスト１３３をワンタッチで昇降させることができる。
【０１０４】
なお、上述の各実施形態において、傾斜装置本体６２には、この傾斜装置本体６２と連結軸３８とを連結固定する固定装置６７が設けられ、連結軸３８に形成された複数の係止孔６８に固定装置６７（インデックスプランジャ）のピン５１がそれぞれ係脱可能に係合して、連結軸３８を所定の傾斜角度（照明バルーン７の傾斜角度）で固定するように構成されているが、これに限られるものではない。
【０１０５】
例えば、図１９に示すように、傾斜装置本体２６２の端部から上方へ延びて固定装置取付部２６２ａが形成され、この固定装置取付部２６２ａに固定装置６７が取り付けられると共に、扇板状の傾斜固定板２６３が固定装置取付部２６２ａに隣接して連結軸３８の端部に連結軸３８と共に回動可能に取り付けられ、傾斜固定板２６３に形成された複数の係止孔２６３ａ，２６３ａ，…に固定装置６７（インデックスプランジャ）のピン５１がそれぞれ係脱可能に係合して、傾斜固定板２６３が取り付けられた連結軸３８を所定の傾斜角度（照明バルーン７の傾斜角度）で固定するように構成されてもよい。このようにすれば、係止孔２６３ａを外方から確認することができるため、照明バルーン７を容易に傾斜角度で固定することができる。
【０１０６】
【発明の効果】
以上説明したように、本発明によるバルーン照明機によれば、昇降装置の最上段のマストの上端部に、昇降装置に対して照明バルーンをオフセットする照明バルーンオフセット装置を設け、照明バルーンオフセット装置が、照明バルーンのバルーンを膨張又は収縮させるバルーン膨張・収縮装置と、照明バルーンのバルーンを垂直状態から所定角度の傾斜状態まで任意の位置で傾斜固定させるバルーン傾斜角度調整装置とを備えたことにより、昇降装置を最下降位置にさせてバルーン膨張・収縮装置を操作するだけで、簡単、容易にバルーンを膨張状態及び収縮状態にすることができると共に、照明バルーンのバルーン膨張・収縮装置への着脱を簡単、容易に行うことができる。また、昇降装置を最下降位置にさせてバルーン傾斜角度調整装置を操作するだけで、簡単、容易にバルーンを垂直状態から所定角度の傾斜状態まで任意の傾斜角度に調整することができる。
【０１０７】
また、バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、脚部支持装置に保持脚部を固定する固定装置とからなり、保持脚部により電球支持部材を最下端位置に下降させることによりバネ部材がそれぞれ楕円形状に湾曲されてバルーンを膨張させ、保持脚部により電球支持部材を最上端位置に上昇させることによりバネ部材がそれぞれ元の伸びた状態に戻されてバルーンを収縮させるようにすることが好ましい。
【０１０８】
このようにすれば、バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、脚部支持装置に保持脚部を固定する固定装置とを備える構成としたことにより、照明バルーンのバルーン膨張・収縮装置への着脱を簡単、容易に行うことができると共に、バルーンの膨張、収縮を簡単、容易に行うことができる。
【０１０９】
さらに、バルーン傾斜角度調整装置が、昇降装置の最上段のマストの上端部に連結固定される連結固定部材と、この連結固定部材の上端部に連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、傾斜装置本体に連結軸を固定する固定装置とからなり、傾斜装置本体と連結軸との間に、連結軸の回動方向を照明バルーンが垂直状態になる方向へ付勢する付勢部材を設けていることが好ましい。
【０１１０】
このようにすれば、バルーン傾斜角度調整装置が、昇降装置の最上段のマストの上端部に連結固定される連結固定部材と、この連結固定部材の上端部に連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、傾斜装置本体に連結軸を固定する固定装置とからなり、傾斜装置本体と連結軸との間に、連結軸の回動方向を照明バルーンが垂直状態になる方向へ付勢する付勢部材を設けた構成としたことにより、照明バルーンの垂直状態での保持を、付勢部材の付勢力により確実にすることができる。
【０１１１】
また、バルーン傾斜角度調整装置の連結固定部材が、連結固定部材の円筒部に形成された切欠部と、この切欠部に嵌着されて最上段のマストの外周部に当接される磁石部材と、この磁石部材の脱落を防止する脱落防止カバーと、磁石部材を最上段のマストの上端部に突設された支持軸に、防止カバーを介して押圧する押圧ネジ部と、この押圧ネジ部に螺合されたＷナットとからなる押圧部材とにより構成されていることが好ましい。
【０１１２】
このようにすれば、バルーン傾斜角度調整装置の連結固定部材を、連結固定部材の円筒部に形成された切欠部と、この切欠部に嵌着されて最上段のマストの外周部に当接される磁石部材と、この磁石部材の脱落を防止する脱落防止カバーと、磁石部材を最上段のマスト上端部の支持軸に押圧する押圧部材とにより構成したことにより、バルーン傾斜角度調整装置の最上段のマスト上端部の支持軸への連結固定を、磁石部材の磁力によって強力にすることができる。
【０１１３】
さらに、第２の発明によるバルーン照明機によれば、昇降装置の最上段のマストの上端部に、昇降装置に対して照明バルーンをオフセットする照明バルーンオフセット装置を設け、照明バルーンオフセット装置が、照明バルーンのバルーンを膨張又は収縮させるバルーン膨張・収縮装置と、照明バルーンのバルーンを垂直状態から所定角度の傾斜状態まで任意の位置で傾斜固定させるバルーン傾斜角度調整装置とを備えたことにより、昇降装置を最下降位置にさせてバルーン膨張・収縮装置を操作するだけで、簡単、容易にバルーンを膨張状態及び収縮状態にすることができると共に、照明バルーンのバルーン膨張・収縮装置への着脱を簡単、容易に行うことができる。また、昇降装置を最下降位置にさせてバルーン傾斜角度調整装置を操作するだけで、簡単、容易にバルーンを垂直状態から所定角度の傾斜状態まで任意の傾斜角度に調整することができる。
【０１１４】
また、バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、脚部支持装置に保持脚部を固定する固定装置とからなり、保持脚部により電球支持部材を最下端位置に下降させることによりバネ部材がそれぞれ楕円形状に湾曲されてバルーンを膨張させ、保持脚部により電球支持部材を最上端位置に上昇させることによりバネ部材がそれぞれ元の伸びた状態に戻されてバルーンを収縮させるようにすることが好ましい。
【０１１５】
このようにすれば、バルーン膨張・収縮装置が、上部支持部材側のバルーンの上側支持部と、照明バルーン取付装置側のバルーンの下側支持部との間に配置された複数のバネ部材と、脚部支持装置を形成する内筒部の支持孔に上下可能に嵌着され、その上端部が電球支持部材に連結された照明バルーンの保持脚部と、脚部支持装置に保持脚部を固定する固定装置とを備える構成としたことにより、照明バルーンのバルーン膨張・収縮装置への着脱を簡単、容易に行うことができると共に、バルーンの膨張、収縮を簡単、容易に行うことができる。
【０１１６】
さらに、バルーン傾斜角度調整装置が、昇降装置の最上段のマストの上端部に連結固定される連結固定部材と、この連結固定部材の上端部に連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、傾斜装置本体に連結軸を固定する固定装置とからなり、傾斜装置本体と連結軸との間に、連結軸の回動方向を照明バルーンが垂直状態になる方向へ付勢する付勢部材を設けていることが好ましい。
【０１１７】
このようにすれば、バルーン傾斜角度調整装置が、昇降装置の最上段のマストの上端部に連結固定される連結固定部材と、この連結固定部材の上端部に連結固定部材に直行する方向に向けられて配設固定された円筒状の傾斜装置本体と、この傾斜装置本体に回動自在に軸支され、その先端部を照明バルーンの保持脚部を支持する脚部支持装置に連結固定された連結軸と、傾斜装置本体に連結軸を固定する固定装置とからなり、傾斜装置本体と連結軸との間に、連結軸の回動方向を照明バルーンが垂直状態になる方向へ付勢する付勢部材を設けた構成としたことにより、照明バルーンの垂直状態での保持を、付勢部材の付勢力により確実にすることができる。
【０１１８】
また、バルーン傾斜角度調整装置の連結固定部材が、連結固定部材の円筒部に形成された切欠部と、この切欠部に嵌着されて最上段のマストの外周部に当接される磁石部材と、この磁石部材の脱落を防止する脱落防止カバーと、磁石部材を最上段のマストの上端部に突設された支持軸に、防止カバーを介して押圧する押圧ネジ部と、この押圧ネジ部に螺合されたＷナットとからなる押圧部材とにより構成されていることが好ましい。
【０１１９】
このようにすれば、バルーン傾斜角度調整装置の連結固定部材を、連結固定部材の円筒部に形成された切欠部と、この切欠部に嵌着されて最上段のマストの外周部に当接される磁石部材と、この磁石部材の脱落を防止する脱落防止カバーと、磁石部材を最上段のマスト上端部の支持軸に押圧する押圧部材とにより構成したことにより、バルーン傾斜角度調整装置の最上段のマスト上端部の支持軸への連結固定を、磁石部材の磁力によって強力にすることができる。
【０１２０】
さらに、三脚が、昇降装置を支持する折り畳み可能な第１三脚部と、一端が第１三脚部の外方側に位置する端部上側に揺動可能に枢結され、他端側が第１三脚部の内方側に位置する端部上側に設けられたクランプに係合して折り畳み可能となっており、第１三脚部を広げて地上に配置した状態で、他端側がクランプに係合して折り畳まれた状態からクランプとの係合を解除して外方へ揺動させると他端が地面に当接するように構成された第２三脚部とからなることが好ましい。
【０１２１】
このようにすれば、三脚が、昇降装置を支持する折り畳み可能な第１三脚部と、一端が第１三脚部の外方側に位置する端部上側に揺動可能に枢結された第２三脚部とを備えて構成されているため、より安定した状態で昇降装置を支持することができると共に、第２三脚部の他端側をクランプに係合させることでコンパクトに三脚を折り畳むことができる。
【０１２２】
また、昇降装置が、三脚に立設された第１マストと、第１マストに挿嵌された第２マストと、第２マストに挿嵌された第３マストとからなり、第１マストの下端部にガススプリング受けを介してガススプリングを設け、ガススプリングの上端部に第１滑車を配設し、ガススプリング受けに一端を係止した第１ワイヤーロープを第１滑車を介して第２マストの下端部に他端を係止し、第２マストの下端部にサポートマストを設け、サポートマストの上端部に第２滑車を配設し、ガススプリング受けに一端を係止した第２ワイヤーロープを第２滑車を介して第３マストの下端部に他端を係止してなることが好ましい。
【０１２３】
このようにすれば、昇降装置にガススプリングを設けているため、昇降装置に構成される第２マスト及び第３マストをワンタッチで昇降させることができる。
【図面の簡単な説明】
【図１】本発明の第一実施形態に係るバルーン照明機の照明バルーンが収納状態にされた様子を示す側面図である。
【図２】本発明の第一実施形態に係るバルーン照明機の照明バルーンが垂直状態にされた様子を示す側面図である。
【図３】本発明の第一実施形態に係るバルーン照明機の照明バルーンが使用状態にある様子を示す側面図である。
【図４】本発明の第一実施形態に係るバルーン照明機の照明バルーンが最上昇位置で使用状態にある様子を示す側面図である。
【図５】本発明の第一実施形態に係るバルーン照明機の照明バルーンの照明角度が変更された状態にある様子を示す側面図である。
【図６】本発明の第一実施形態に係るバルーン照明機のバルーン膨張・収縮装置のバルーンの膨張状態を示す断面図である。
【図７】本発明の第一実施形態に係るバルーン照明機のバルーン膨張・収縮装置のバルーンの収縮状態を示す断面図である。
【図８】本発明の第一実施形態に係るバルーン照明機の照明バルーンオフセット装置を示す正面図である。
【図９】本発明の第一実施形態に係るバルーン照明機の照明バルーンオフセット装置を示す背面図である。
【図１０】本発明の第一実施形態に係るバルーン照明機の脚部支持装置の連結構造を示す断面図である。
【図１１】図８中の矢印ＸＩ−ＸＩに沿った平断面図である。
【図１２】本発明の第一実施形態に係るバルーン照明機のバルーン傾斜角度調整装置を示す正面図である。
【図１３】図１２中の矢印ＸＩＩＩ−ＸＩＩＩに沿った側断面図である。
【図１４】図１３中の矢印ＸＩＶ−ＸＩＶに沿った断面図である。
【図１５】本発明の第二実施形態に係るバルーン照明機の照明バルーンが使用状態にある様子を示す正面図である。
【図１６】本発明の第二実施形態に係るバルーン照明機の照明バルーンが最上昇位置で使用状態にある様子を示す正面図である。
【図１７】（ａ）は本発明の第二実施形態に係るバルーン照明機に構成される昇降装置の側断面図であり、（ｂ）は昇降装置の正断面図である。
【図１８】（ａ）は本発明の第二実施形態に係るバルーン照明機に構成される伸長防止装置の係合状態を示す側断面図であり、（ｂ）は伸長防止装置の離脱状態を示す側断面図である。
【図１９】傾斜装置本体の別形態を示す正面図（一部側面図）である。
【符号の説明】
１　バルーン照明機（第一実施形態）
４　台車
５　昇降装置
６　照明バルーンオフセット装置
７　照明バルーン
８　発電機
９　バルーン
１０　バルーン膨張・収縮装置
１１　バルーン傾斜角度調整装置
２３　バネ部材
２７　上部支持部材
２８　電球支持部材
３１　上側支持部
３６　保持脚部（３６ａ，３６ｂ　係止孔）
３７　照明バルーン取付装置
３８　連結軸
３９　脚部支持装置
４０　固定装置
４１　外筒部（連結部）
４２　内筒部（脚部支持装置）
５８　下側支持部
６０　連結固定部材
６２　傾斜装置本体
６４　付勢部材
６７　固定装置
７０　円筒部（７０ａ　切欠部）
７１　磁石部材
７２　脱落防止カバー
７３　押圧軸（７３ａ　押圧ネジ）
７４　Ｗナット
７６　押圧部材
１０１　バルーン照明機（第二実施形態）
１１０　三脚
１１１　第１三脚部
１１２　クランプ
１１６　第２三脚部
１２０　電源装置
１３０　昇降装置（第二実施形態）
１３１　第１マスト
１３２　第２マスト
１３３　第３マスト（１３３ａ　支持軸）
１３４　ガススプリング受け
１３５　ガススプリング
１３６　第１滑車
１３９　サポートマスト
１４０　第２滑車
１４１　第１ワイヤーロープ
１４２　第２ワイヤーロープ
２６２　傾斜装置本体（別形態）
【図１】
2004095517.tif 000003
【図２】
2004095517.tif 000004
【図３】
2004095517.tif 000005
【図４】
2004095517.tif 000006
【図５】
2004095517.tif 000007
【図６】
2004095517.tif 000008
【図７】
2004095517.tif 000009
【図８】
2004095517.tif 000010
【図９】
2004095517.tif 000011
【図１０】
2004095517.tif 000012
【図１１】
2004095517.tif 000013
【図１２】
2004095517.tif 000014
【図１３】
2004095517.tif 000015
【図１４】
2004095517.tif 000016
【図１５】
2004095517.tif 000017
【図１６】
2004095517.tif 000018
【図１７】
2004095517.tif 000019
【図１８】
2004095517.tif 000020
【図１９】
2004095517.tif 000021